(57)【要約】      （修正有）【課題】化粧栓部材の取り外しが簡単で、面倒な仕上げをすることなく組立作業の向上が図られ、しかも化粧栓部材の破損や損傷に至ることがなく、防水パンの化粧直しも良好に行え、防水パンの復元を確実・安全なものにする。【解決手段】排水口１が設けられた床面部２と、床面部２の周縁部から一体に立ち上げられ上方より下方に屈曲されて形成された周壁部３とによって、排水を外部に洩れることなく受けて排水口１から排出できる防水パン４であって、前記周壁部３に取付ネジ５が挿通可能な挿通孔６を複数備えられ、該挿通孔６の上面開口部に開口部が封じられる化粧栓部材７を着脱自在に嵌着されたものであって、該化粧栓部材７の周面の一部を露出するように、前記挿通孔６の上面開口部に所定巾で連通した凹面部８を前記周壁部３の上面に備えた。【選択図】図１
0003107619.tif 000002
【実用新案登録請求の範囲】
【請求項１】
排水口が設けられた床面部と、床面部の周縁部から一体に立ち上げられ上方より下方に屈曲されて形成された周壁部とによって、排水を外部に洩れることなく受けて排水口から排出できる防水パンであって、前記周壁部に取付ネジが挿通可能な挿通孔を複数設け、該挿通孔の上面開口部に開口部が封じられる化粧栓部材を着脱自在に嵌着されたものにおいて、該化粧栓部材の周面の一部を露出するように、前記挿通孔の上面開口部に所定巾で連通した凹面部を前記周壁部の上面に備えたことを特徴とする防水パン。
【請求項２】
請求項１記載の防水パンにおいて、前記挿通孔が、前記取付ネジの頭部をねじ込むための円錐状収納凹部と、床面に当接する筒部によって形成されるネジ部挿通孔とからなることを特徴とする防水パン。
【請求項３】
請求項１または２記載の防水パンにおいて、前記化粧栓部材が、前記周壁部の上面に載置されて前記挿通孔の上面開口部を塞ぐフランジ部と、該フランジ部より小径の栓部とを一体に成形した合成樹脂製品からなることを特徴とする防水パン。
【請求項４】
請求項１，２または３記載の防水パンにおいて、前記凹面部が、周壁部の上面内周側或いは外周側に凹設され、上方から下方に向かって深さを漸減し底面がなだらかな曲面で構成されていることを特徴とする防水パン。  
【請求項５】
請求項１，２，または３記載の防水パンにいて、前記凹面部が、周壁部の上面内周側と外周側との両方に凹設され、該凹面部の上縁部並びに底縁部にＲを持たせてなだらかな凹面からなることを特徴とする防水パン。
【請求項６】
請求項４または５記載の防水パンにおいて、前記凹面部が、化粧栓部材のフランジ部を嵌合する収納凹部に連通し、該フランジ部の厚みと略同等の深さを有していることを特徴とする防水パン。
【考案の詳細な説明】
【技術分野】
【０００１】
本考案は、住宅内の洗い場或いはバスルームやマンションの台所、洗面所、ベランダでの流し場或いは流し台やユニットバスなどの各種キャビネット内など床面の排水口に取り付けられる防水パン、特に洗濯機などの排水ホースを接続連結する防水パンに関するものである。
【背景技術】
【０００２】
従来の防水パンは、工場において製造した全体が皿状になっているものを建築現場に運んで設置することが多く、寸法はいろいろあるものの殆どが規格化されていて、現場での多くの手作業工程を必要とせずに直接家屋床面に固定して用いるようになっている。
【０００３】
【特許文献１】実用新案出願公告平２−４５３２７号公報
【０００４】
上記文献の防水パンは、排水床部の周縁部から立設されている框部の上部に、頭部を有する取付ネジが収納可能な収納凹部を複数備えられ、かつ各収納凹部の底部に前記取付ネジの挿通孔が設けられていて、該収納凹部の上面開口部に化粧栓部材が着脱自在に嵌着されていることが記載されている。
【考案の開示】
【考案が解決しようとする課題】
【０００５】
この従来の住宅などの家屋の床上では、防水パンの周縁部を立設した框部を取付ネジによって固定するため防水パンを固定し易くなっているものの、立ち上げた框部にある取付ネジの収納凹部があり、かつ収納凹部の上面開口部に化粧栓部材が着脱自在に嵌着されていて、体裁上から表面より化粧栓部材の頭部が突出すると邪魔になり体裁も悪いので、頭出しなしで嵌着したり、強固に定着すると引っ掛かりがないため化粧栓部材が取りにくくなり、床下の排水系の点検修理の際や、防水パンの移動のため化粧栓部材の取り外しに難渋することが多くなって作業性も悪く、場合によっては化粧栓部材の破損に至ることもしばしばあって、防水パンの化粧直しをする必要があって、防水パンの復元に支障を来すことがあるなどの問題があった。
【０００６】
本考案は、これら従来の不便さを排除しようとするもので、洗い場或いはキャビネット内などの床面で用いられる防水パンの固定部分に化粧栓部材が体裁上から頭出しなしで嵌着したり、強固に定着していても化粧栓部材が取り易くなり床下の排水系の点検修理の際や、防水パンの移動の際にも化粧栓部材の取り外しが簡単で、面倒な仕上げをすることなく組立作業の向上が図られ、しかも化粧栓部材の破損や損傷に至ることがなく、防水パンの化粧直しも良好に行え、防水パンの復元を確実・安全なものにすることができる低コストの防水パンを提供することを目的としている。 
【課題を解決するための手段】
【０００７】
本考案は、上記目的を達成するために次の技術的手段を講じている。
即ち、請求項１に係る考案は、排水口が設けられた床面部と、床面部の周縁部から一体に立ち上げられ上方より下方に屈曲されて形成された周壁部とによって、排水を外部に洩れることなく受けて排水口から排出できる防水パンであって、前記周壁部に取付ネジが挿通可能な挿通孔を複数設け、該挿通孔の上面開口部に開口部が封じられる化粧栓部材を着脱自在に嵌着されたものであって、該化粧栓部材の周面の一部を露出するように、前記挿通孔の上面開口部に所定巾で連通した凹面部を前記周壁部の上面に備えたことで、化粧栓部材の取り外しが簡単で、面倒な仕上げをすることなく組立作業の向上が図られる。
【０００８】
また、本考案の請求項２記載の考案は、前記挿通孔が、前記取付ネジの頭部をねじ込むための円錐状収納凹部と、床面に当接する筒部によって形成されるネジ部挿通孔とからなり、化粧栓部材の破損や損傷に至ることがなく、防水パンの化粧直しも良好に行え、防水パンの復元を確実・完全なものにすることができることを特徴としている。
【０００９】
さらに、本考案の請求項３記載の考案は、前記化粧栓部材が、前記周壁部の上面に載置されて前記挿通孔の上面開口部を塞ぐフランジ部と、該フランジ部より小径の栓部とを一体に成形した合成樹脂製品からなることを特徴としている。
【００１０】
さらに、本考案の請求項４記載の考案は、請求項１、請求項２または請求項３記載の防水パンにおいて、前記凹面部が、周壁部の上面内周側或いは上面外周側に凹設され、上方から下方に向かって深さを漸減し底面がなだらかな曲面で構成されていることで、体裁良好であり、衛生的に取り扱い得るものである。
【００１１】
さらにまた、本考案の請求項４記載の考案は、請求項１、請求項２または請求項３記載の防水パンにおいて、前記凹面部が、周壁部の上面内周側と上面外周側とのいずれか或いはいずれにも凹設され、該凹面部の上縁部並びに底縁部にＲを持たせてなだらかな凹面からなることで、防水パンの化粧直しも良好に行え、防水パンの復元を確実・安全なものにすることができる。
【００１２】
本考案の請求項４または５記載の考案は、前記凹面部が、化粧栓部材のフランジ部を嵌合する収納凹部に連通し、フランジ部の厚みと略同等の深さを有していることで、排水漏れ防止を確実・安全なものにすることができると共に、防水パンの縁周りの化粧回しとなって体裁良好であり、衛生的に取り扱い得ることを特徴としている。
【考案の効果】
【００１３】
本考案によると、洗い場或いはキャビネット内などの床面で用いられる防水パンにおいて、床下の排水系の点検修理の際や、防水パンの移動の際にも化粧栓部材の取り外しが簡単で、面倒な仕上げをすることなく組立作業の向上が図られ、しかも化粧栓部材の破損や損傷に至ることを回避できる利点があり、防水パンの化粧直しも良好に行え、防水パンの復元を確実・安全なものにすることができるし、体裁良好であり、衛生的に取り扱い得ると共に、防水パンの施工作業が容易で安価に行うことができる。
【考案を実施するための最良の形態】
【００１４】
以下、本考案に係る防水パンの実施形態を図面を参照して説明する。
この実施の形態における防水パンにでは、図１乃至図３に示すように、排水口１が設けられた床面部２と、床面部２の周縁部から一体に立ち上げられ上方より下方に屈曲されて形成された周壁部３とによって、排水を外部に洩れることなく受けて排水口１から排出できる防水パン４であって、前記周壁部３に取付ネジ５が挿通可能な挿通孔６を複数備えられ、該挿通孔６の上面開口部に開口部が封じられる化粧栓部材７を着脱自在に嵌着されたものであって、該化粧栓部材７の周面の一部を露出するように、前記挿通孔６の上面開口部に所定巾で連通した凹面部８を前記周壁部３の上面に備えてある。
【００１５】
図示の例では、前記挿通孔６が、前記取付ネジの頭部をねじ込むための円錐状収納凹部９と、床面に当接する筒部１０によって形成されるネジ部挿通孔６とからなり、周壁部３の上面の内側に備えてある凹面部８で、前記化粧栓部材７の周面の一部を露出した位置を取り出し引っ掛けて部として、化粧栓部材７の取り外しが簡単にできるようにして、化粧栓部材７の破損や損傷が回避できるようにしてある。
【００１６】
さらに、前記化粧栓部材７としては、前記周壁部３の上面に載置されて前記挿通孔６の上面開口部を塞ぐ円筒状のフランジ部７１と、該フランジ部７１より小径の栓部７２とを一体に成形した合成樹脂製品からなり、円錐状収納凹部９に着脱自在に嵌着され化粧直しが良好に行えるようにするのがよい。                                          
【００１７】
なお、前記周壁部３の上面に備えてある凹面部８は、周壁部３の内周側に凹設されているが、外周側に凹設することもできるし、必要に応じ内外両側に設けることもできる。
いずれにしても前記凹面部８は、上方から下方に向かって深さを漸減し底面がなだらかな曲面で構成され、体裁良好で衛生的に取り扱い得るように配慮するのがよく、かつ凹面部８の上縁部並びに底縁部にもＲを持たせてなだらかな凹面からなることで、体裁良好で衛生的に取り扱い得るように配慮するのがよい。
【００１８】
また、前記凹面部８が、化粧栓部材７のフランジ部７１を嵌合する円錐状収納凹部９に連通し、該フランジ部７１の厚みと略同等の深さを有していることで、外し易く見映えもよく排水漏れ防止を確実・安全なものにすることができると共に、防水パンの縁周りの化粧ができて体裁良好に用いられる。
【００１９】
さらに、前記防水パン４としては、ＡＢＳ樹脂、ＰＰ樹脂、ＰＶＣ樹脂、ＡＳＡ樹脂、硬質ポリ塩化ビニル、再生ポリエチレン樹脂その他の合成樹脂或いは坑菌入りの樹脂などを用いたもので、射出成形若しくは直圧プレスによって一体成形するのが好ましい。
【００２０】
さらに、前記防水パン４の排水口１には、排水トラップ本体（図示せず）嵌合されて床面上に防水パン４が載置固定されて用いられる。例えば、洗濯機の排水を外部に洩れることなく受けて排出できる防水パン４としては、床面の排水口に嵌合されて固定され、防水パン４側の排水口１には洗濯機排水ホースを接続し、かつ床面下に配設される排水管に連結されて、トラップ機能をはたす排水トラップ本体を備えた洗濯機用防水パン４として用いるのがよく、防水パン１の縁周りの周壁部３に化粧栓部材７が嵌着され見栄えをよくして用いられる。
【００２１】
なお、前記排水トラップ本体は、各部材が耐衝撃性、耐腐性および耐熱性などに優れたＡＢＳ樹脂などで成形され、排水口を目皿によって覆い防水パン４の床面部２に圧接固着されれるが、軟性樹脂からなるエルボのホースジョイントを排水トラップ本体に締め付ける形態とすることで、施行工事も簡便で汎用性に富んだものにすることができる。
この場合、洗濯機に排水トラップを取り付けるには、床面に設けられた排水管に排水トラップ本体の排水管接続部を接続固着する。次いで、防水パン４に排水トラップ本体を固着し、目皿のホースジョイントに洗濯機の排水ホースを挿入接続すれば、排水トラップの施工作業を終了することができる。
【００２２】
また、前記防水パン４には、床面部２の四隅に洗濯機の脚部を載置する受台１１を形成してあるが、この受台１１を設けない平坦な床面部２の形態の防水パン４でも選んで用いられる。さらに前記化粧栓部材７は、高密度ポリエチレン樹脂、硬質ポリ塩化ビニル樹脂ポリアセタール樹脂、ＡＢＳ樹脂、ＰＶＣ樹脂などのプラスチック材料による成形品を用いるのがよい。
【００２３】
図４の例では、前記挿通孔６が、前記取付ネジの頭部をねじ込むための円錐状収納凹部９と、床面に当接する筒部１０によって形成されるネジ部挿通孔６とからなるのは前例と同様であるが、周壁部３の上面の外側に備えてある凹面部８で、前記化粧栓部材７の周面の一部を露出した位置を取り出し引っ掛けて部として、化粧栓部材７の取り外しが簡単にできるようにして、化粧栓部材７の頭が表面より突出しないで邪魔にならず体裁もよく用いられる。
【００２４】
前記防水パン４の使用状態では、防水パン４が家屋の洗い場の床上に設置された位置において、周壁部３にある挿通孔６に取付ネジ５が挿入され、該取付ネジ５の頭部が収納凹部９内に収納されるまで床にねじ込まれて床上に固定される。そして、収納凹部９に水やゴミが浸入しないように化粧栓部材７が嵌着され、該化粧栓部材７の頭が表面に突出しないで収納凹部９の開口部が封じられ体裁良好な形態で用いられる。床下の排水系の点検修理の際や、防水パンの移動の際には、ドライバーなどの工具の先端を周壁部３にある凹面部８から挿入し、前記化粧栓部材７の露出しているフランジ部７１の下に差し込んで起こし化粧栓部材７を浮かして、収納凹部９から化粧栓部材７を取り外すことができ、ねじ込んである取付ネジ５を抜き取れば防水パン４の取り外し移動ができる。固定復元には逆の操作で防水パン４の固定設置でき、面倒な仕上げをすることなく組立作業の向上が図られ、しかも化粧栓部材の破損や損傷に至ることがなく防水パンの復元を確実・安全なものにすることができる。
【産業上の利用可能性】
【００２５】
本考案に係る防水パンは、床面施工或いは取り外しが容易なため洗い場、バスルーム、キャビネット或いはマンションその他集合住宅などの防水パンを設置する場所に好適に利用できる。
【図面の簡単な説明】
【００２６】
【図１】本考案に係る防水パンを示すもので、（ａ）はその平面図、（ｂ）はＡ−Ａ線における縦断面図である。
【図２】図１の例で用いられる一部切欠した拡大詳細図で、（ａ）はその平面図、（ｂ）はその中央縦断面図である。
【図３】図１の例で用いられる防水パンの使用状態の斜視図である。
【図４】本考案に係る他の実施例の防水パンを示すもので、（ａ）はその平面図、（ｂ）はＢ−Ｂ線における拡大縦断面図、（ｂ）はＣ−Ｃ線における拡大縦断面図である。
【符号の説明】
【００２７】
１    排水口  
２    床面部    
３    周壁部  
４    防水パン      
５    取付ネジ  
６    挿通孔  
７    化粧栓部材
７１    フランジ部
７２    栓部
８    凹面部  
９    収納凹部
１０    筒部  
１１    受台
【図１】
0003107619.tif 000003
【図２】
0003107619.tif 000004
【図３】
0003107619.tif 000005
【図４】
0003107619.tif 000006